(57)【要約】【課題】  ＥＰＧデータの取得のためにユーザの意図しない電力消費が発生するのを防止する。【解決手段】  ＣＰＵ１１は、現在受信中のチャンネルから他のチャンネルへの変更を指示する操作を検出すると、他のチャンネルおよび他のチャンネルに隣接するチャンネルのＥＰＧデータを受信してメモリ９に記憶し、記憶した３つのチャンネルのＥＰＧデータに応じてＥＰＧ表示データを生成し、映像表示部７に表示する。【選択図】  図１
2005184620.tif 000002
【特許請求の範囲】
【請求項１】
現在受信中のチャンネルから他のチャンネルへの変更を指示する操作を検出する操作検出手段と、
前記操作検出手段によって現在受信中のチャンネルから他のチャンネルへの変更を指示する操作が検出されたときは、各チャンネルの電子番組案内データを受信して所定の記憶手段に記憶するデータ処理手段と、
を備えた受信装置。
【請求項２】
現在受信中のチャンネルから他のチャンネルへの変更を指示する操作を検出する操作検出手段と、
前記操作検出手段によって現在受信中のチャンネルから他のチャンネルへの変更を指示する操作が検出されたときは、前記他のチャンネルおよび前記他のチャンネルに隣接するチャンネルの電子番組案内データを受信して所定の記憶手段に記憶するデータ処理手段と、
を備えた受信装置。
【請求項３】
前記操作検出手段は、現在受信中のチャンネルから他のチャンネルへの変更を指示する操作が、直接に前記他のチャンネルを指示する第１の操作によるものであるか又はチャンネルを順次増減する第２の操作によるものであるかを判別し、前記データ処理手段は、前記操作検出手段によって現在受信中のチャンネルから他のチャンネルへの変更を指示する操作が前記第２の操作によるものであると判別された場合にのみ、電子番組案内データを受信して前記記憶手段に記憶することを特徴とする請求項１又は２記載の受信装置。
【請求項４】
前記他のチャンネルの放送番組の映像の表示に先立って又は前記他のチャンネルの放送番組の映像の表示に重ねて、前記記憶手段に記憶された電子番組案内データの内容を所定の表示手段に所定時間表示する表示制御手段をさらに備えたことを特徴とする請求項１、２又は３記載の受信装置。
【請求項５】
前記データ処理手段は、前記表示制御手段によって電子番組案内データの内容が所定時間表示された後は、前記記憶手段に記憶されている前記他のチャンネル以外のチャンネルの電子番組案内データを消去することを特徴とする請求項４記載の受信装置。
【請求項６】
現在受信中のチャンネルから他のチャンネルへの変更を指示する操作を検出する第１のステップと、
前記第１のステップによって現在受信中のチャンネルから他のチャンネルへの変更を指示する操作が検出されたときは、各チャンネルの電子番組案内データを受信して所定の記憶手段に記憶する第２のステップと、
を実行する受信処理のプログラム。
【請求項７】
現在受信中のチャンネルから他のチャンネルへの変更を指示する操作を検出する第１のステップと、
前記第１のステップによって現在受信中のチャンネルから他のチャンネルへの変更を指示する操作が検出されたときは、前記他のチャンネルおよび前記他のチャンネルに隣接するチャンネルの電子番組案内データを受信して所定の記憶手段に記憶する第２のステップと、
を実行する受信処理のプログラム。
【請求項８】
前記第１のステップは、現在受信中のチャンネルから他のチャンネルへの変更を指示する操作が、直接に前記他のチャンネルを指示する第１の操作によるものであるか又はチャンネルを順次増減する第２の操作によるものであるかを判別し、前記第２のステップは、前記第１のステップによって現在受信中のチャンネルから他のチャンネルへの変更を指示する操作が前記第２の操作によるものであると判別された場合にのみ、電子番組案内データを受信して前記記憶手段に記憶することを特徴とする請求項６又は７記載の受信処理のプログラム。
【請求項９】
前記他のチャンネルの放送番組の映像の表示に先立って又は前記他のチャンネルの放送番組の映像の表示に重ねて、前記記憶手段に記憶された電子番組案内データの内容を所定の表示手段に所定時間表示する第３のステップをさらに実行することを特徴とする請求項６、７又は８記載の受信処理のプログラム。
【請求項１０】
前記第２のステップは、前記第３のステップによって電子番組案内データの内容が所定時間表示された後は、前記記憶手段に記憶されている前記他のチャンネル以外のチャンネルの電子番組案内データを消去することを特徴とする請求項９記載の受信処理のプログラム。
【発明の詳細な説明】
【技術分野】
【０００１】
本発明は、受信装置およびその受信処理のプログラムに関し、特に、地上ディジタル放送を受信する受信装置およびその受信処理のプログラムに関するものである。
【背景技術】
【０００２】
２００３年１２月１日より東京地域、名古屋地域、大阪地域で開始された地上波ディジタル放送においては、ＢＳディジタル放送と同様に、ＥＰＧ（Ｅｌｅｃｔｒｏｎｉｃ  Ｐｒｏｇｒａｍ  Ｇｕｉｄｅ）と呼ばれる電子番組案内を表示することができる。また、地上波ディジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重方式）の採用によって、携帯電話などの携帯端末・移動体端末向け映像／データ放送受信サービスが可能になる。
【０００３】
しかし、地上波ディジタル放送の場合には、現在受信して視聴中のチャンネルのＥＰＧデータを受信することは可能であるが、受信するチャンネルを変更しない限り他のチャンネルのＥＰＧデータを受信することができない。
この対策として、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：電波産業会）では、ユーザが視聴を行っていないときに、受信可能なチャンネルをスキャンして、各チャンネルのＥＰＧデータを取得してメモリに記憶し、ＥＰＧ表示の際にメモリのＥＰＧデータを利用することが提案されている。
スキャンして最低取得すべき情報としては、変調周波数など伝送路の情報と放送番組を関連付ける情報とを表すＮＩＴ（Ｎｅｔｗｏｒｋ  Ｉｎｆｏｒｍａｔｉｏｎ  Ｔａｂｌｅ）、ブロードキャスタの単位やブロードキャスタ単位ごとの番組配列情報伝送パラメータなどを指定するＢＩＴ（Ｂｒｏａｄｃａｓｔｅｒ  Ｉｎｆｏｒｍａｔｉｏｎ  Ｔａｂｌｅ）、編成チャンネルの名称、放送事業者の名称などを表すＳＤＴ（Ｓｅｒｖｉｃｅ  Ｄｅｓｐｒｉｃｔｉｏｎ  Ｔａｂｌｅ）がある。また、これらに基づいて、番組の名称、放送日時、内容を表すＥＩＴ（Ｅｖｅｎｔ  Ｉｎｆｏｒｍａｔｉｏｎ  Ｔａｂｌｅ）を取得する必要がある。
チューナが１つしか設けられていない受信装置では、あるチャンネルを視聴中においては他のチャンネルをスキャンすることができないので、電源オフのタイミング又はユーザが電源をオフにした後に、各チャンネルをスキャンしてＥＰＧデータを取得することになる。（非特許文献１参照）
【０００４】
他の対策として、番組視聴用のチューナとは別に情報取得用チューナを設けた受信装置が提案されている。この提案によれば、ユーザ用チューナは、ユーザにより指示された番組の情報を受信し、情報取得用チューナは、所定のタイミングで、受信するチャンネルを順次切り替えて放送局情報取得するとともに、それぞれの放送局から送信されてくるＥＰＧデータを取得し、それを保存する。（特許文献１参照）
【非特許文献１】ＡＲＩＢ  ＴＲ−Ｂ１４  第４編  第５部  Ｃ．５．５節
【特許文献１】特開２００３−１６３８４９号公報
【発明の開示】
【発明が解決しようとする課題】
【０００５】
しかしながら、上記非特許文献１に記載された電源オフのタイミング又はユーザが電源をオフにした後に、各チャンネルをスキャンしてＥＰＧデータを取得する方法は、ユーザが電源をオフにしても、ＥＰＧデータの取得のために、ユーザが意図しない電力消費が発生するので、携帯型のテレビ受信装置や携帯電話などからなる受信装置では、ＥＰＧデータの取得のためにバッテリーが消費されることになる。例えば、スポーツ番組の得点を知りたい場合において、バッテリーの消費電力を節約するために、電源のオンにして番組を表示してすぐに電源をオフにする操作をユーザが繰り返す場合には、その操作のたびにＥＰＧデータの取得のための無駄な電力消費が却って増加することになる。
【０００６】
また、上記特許文献１に記載された番組を受信するチューナとは別にＥＰＧデータの取得のチューナを設ける構成は、携帯型のテレビ受信装置や携帯電話などの受信装置だけでなく屋内使用の据え置き型の受信装置においても、製品のコストアップを招くだけでなく、小型軽量化の障害になる。さらに、ユーザが長時間にわたって同じチャンネルを視聴し、ＥＰＧを表示する必要がない場合でも、ＥＰＧデータの取得のための電力消費が発生することになる。
【０００７】
本発明は、上記従来の課題を解決するためのものであり、ＥＰＧデータの取得のためにユーザの意図しない電力消費が発生するのを防止できる受信装置およびその受信処理のプログラムを提供することを目的とする。
また、本発明は、ユーザがＥＰＧ表示を必要とする場合にＥＰＧデータを受信できる利便性の高い受信装置およびその受信処理のプログラムを提供することを目的とする。
また、本発明は、番組受信とは別に専用のチューナを設けることなくＥＰＧデータを受信することにより、製品のコストダウンや小型軽量化を実現する受信装置およびその受信処理のプログラムを提供することを目的とする。
【課題を解決するための手段】
【０００８】
請求項１に記載の受信装置は、現在受信中のチャンネルから他のチャンネルへの変更を指示する操作を検出する操作検出手段（実施形態においては、図１のＣＰＵ１１に相当する）と、操作検出手段によって現在受信中のチャンネルから他のチャンネルへの変更を指示する操作が検出されたときは、各チャンネルの電子番組案内データを受信して所定の記憶手段（実施形態においては、図１のメモリ９に相当する）に記憶するデータ処理手段（実施形態においては、図１のＣＰＵ１１に相当する）と、を備えた構成になっている。
【０００９】
請求項２の受信装置は、現在受信中のチャンネルから他のチャンネルへの変更を指示する操作を検出する操作検出手段（実施形態においては、図１のＣＰＵ１１に相当する）と、操作検出手段によって現在受信中のチャンネルから他のチャンネルへの変更を指示する操作が検出されたときは、他のチャンネルおよび他のチャンネルに隣接するチャンネルの電子番組案内データを受信して所定の記憶手段（実施形態においては、図１のメモリ９に相当する）に記憶するデータ処理手段（実施形態においては、図１のＣＰＵ１１に相当する）と、を備えた構成になっている。
【００１０】
請求項１又は請求項２の受信装置において、請求項３に記載したように、操作検出手段は、現在受信中のチャンネルから他のチャンネルへの変更を指示する操作が、直接に他のチャンネルを指示する第１の操作（実施形態においては、図１の操作部１０におけるチャンネルスイッチの操作に相当する）によるものであるか又はチャンネルを順次増減する第２の操作（実施形態においては、図１の操作部１０におけるチャンネルＵＰ／ＤＯＷＮスイッチの操作に相当する）によるものであるかを判別し、データ処理手段は、操作検出手段によって現在受信中のチャンネルから他のチャンネルへの変更を指示する操作が第２の操作によるものであると判別された場合にのみ、電子番組案内データを受信して記憶手段に記憶するような構成にしてもよい。
【００１１】
請求項１、請求項２又は請求項３の受信装置において、請求項４に記載したように、他のチャンネルの放送番組の映像の表示に先立って又は他のチャンネルの放送番組の映像の表示に重ねて、記憶手段に記憶された電子番組案内データの内容を所定の表示手段（実施形態においては、図１の映像表示部７に相当する）に所定時間表示する表示制御手段（実施形態においては、図１のＣＰＵ１１およびＯＳＤ８に相当する）をさらに備えたような構成にしてもよい。
さらにこの場合において、請求項５に記載したように、データ処理手段は、表示制御手段によって電子番組案内データの内容が所定時間表示された後は、記憶手段に記憶されている他のチャンネル以外のチャンネルの電子番組案内データを消去するような構成にしてもよい。
【００１２】
請求項６に記載の受信処理のプログラムは、現在受信中のチャンネルから他のチャンネルへの変更を指示する操作を検出する第１のステップと、第１のステップによって現在受信中のチャンネルから他のチャンネルへの変更を指示する操作が検出されたときは、各チャンネルの電子番組案内データを受信して所定の記憶手段（実施形態においては、図１のメモリ９に相当する）に記憶する第２のステップと、を実行する。
なお、第１のステップおよび第２のステップは、実施形態においては、図１のＣＰＵ１によって実行される処理に相当する。
【００１３】
請求項７に記載の受信処理のプログラムは、現在受信中のチャンネルから他のチャンネルへの変更を指示する操作を検出する第１のステップと、第１のステップによって現在受信中のチャンネルから他のチャンネルへの変更を指示する操作が検出されたときは、他のチャンネルおよび他のチャンネルに隣接するチャンネルの電子番組案内データを受信して所定の記憶手段（実施形態においては、図１のメモリ９に相当する）に記憶する第２のステップと、を実行する。
なお、第１のステップおよび第２のステップは、実施形態においては、図１のＣＰＵ１によって実行される処理に相当する。
【００１４】
請求項６又は請求項７のプログラムにおいて、請求項８に記載したように、第１のステップは、現在受信中のチャンネルから他のチャンネルへの変更を指示する操作が、直接に他のチャンネルを指示する第１の操作（実施形態においては、図１の操作部１０におけるチャンネルスイッチの操作に相当する）によるものであるか又はチャンネルを順次増減する第２の操作（実施形態においては、図１の操作部１０におけるチャンネルＵＰ／ＤＯＷＮスイッチの操作に相当する）によるものであるかを判別し、第２のステップは、第１のステップによって現在受信中のチャンネルから他のチャンネルへの変更を指示する操作が第２の操作によるものであると判別された場合にのみ、電子番組案内データを受信して記憶手段に記憶するような構成にしてもよい。
【００１５】
請求項６、請求項７又は請求項９のプログラムにおいて、請求項９に記載したように、他のチャンネルの放送番組の映像の表示に先立って又は他のチャンネルの放送番組の映像の表示に重ねて、記憶手段に記憶された電子番組案内データの内容を所定の表示手段（実施形態においては、図１の映像表示部７に相当する）に所定時間表示する第３のステップ（実施形態においては、図１のＣＰＵ１およびＯＳＤ８によって実行される処理に相当する）をさらに実行するような構成にしてもよい。
さらにこの場合において、請求項１０に記載したように、第２のステップは、第３のステップによって電子番組案内データの内容が所定時間表示された後は、記憶手段に記憶されている他のチャンネル以外のチャンネルの電子番組案内データを消去するような構成にしてもよい。
【発明の効果】
【００１６】
本発明の受信装置およびその受信処理のプログラムによれば、ＥＰＧデータの取得のためにユーザの意図しない電力消費が発生するのを防止できるという効果が得られる。また、ユーザがＥＰＧ表示を必要とする場合にＥＰＧデータを受信できるという効果が得られる。また、番組受信とは別に専用のチューナを設けることなくＥＰＧデータを受信することにより、製品のコストダウンや小型軽量化を実現するという効果が得られる。
【発明を実施するための最良の形態】
【００１７】
以下、本発明による受信装置の第１実施形態および第２実施形態について、地上波ディジタル放送を受信する携帯型のテレビ受信装置を例に採って図を参照して説明する。
図１は、各実施形態における携帯型のテレビ受信装置の構成を示す概略のブロック図である。図１において、アンテナ１は、複数の放送局の地上波ディジタル放送を受信するアンテナである。チューナ２は、アンテナ１で受信されるチャンネルの中からユーザによって指示された特定のチャンネルを選局して、そのデータ信号を出力する。復調器３は、チューナ２から出力されたデータ信号の復調および誤り訂正処理を行って、映像データ、音声データ、テキストデータ、ＥＰＧデータなどがディジタル圧縮されて多重化されたトランスポートストリームを出力する。デマルチプレクサ４は、トランスポートストリームから各データを分離抽出する。ＡＶデコーダ５は、デマルチプレクサ４によって分離抽出され、ディジタル圧縮された映像データおよび音声データに対してデコード処理（伸長処理）を行う。音声出力部６は、ＤＡコンバータ、フィルタ、アンプ、スピーカなど（図示せず）で構成され、ＡＶデコーダ５から出力される音声データに応じて発音する。映像表示部７は、ＡＶデコーダ５から出力される映像データに応じて番組映像を表示する。ＯＳＤ（Ｏｎ  Ｓｃｒｅｅｎ  Ｄｉｓｐｌａｙ）８は、映像表示部７に表示されている番組映像にＥＰＧの内容を重ねて表示するための処理を行う。
メモリ９は、デマルチプレクサ４によって分離抽出されたＥＰＧデータなどを記憶するワークＲＡＭ、地上波ディジタル放送の受信処理および初期データなどを記憶しているプログラムＲＯＭで構成されている。操作部１０は、受信するチャンネルを直接に指示するチャンネルスイッチ、受信するチャンネルを順次増減するチャンネルＵＰ／ＤＯＷＮスイッチ、音量調整スイッチ、およびその他のスイッチで構成されている。ＣＰＵ１１は、システムバス１２を介して接続されている上記のチューナ２、復調器３、デマルチプレクサ４、ＡＶデコーダ５、ＯＳＤ８、メモリ９、操作部１０との間で、データおよびコマンドの授受を行ってこの受信装置を制御する。
【００１８】
次に、第１実施形態の動作について、図２ないし図４に基づいて説明する。
図２は、第１実施形態におけるＣＰＵ１１の受信処理のフローチャートである。まず、チャンネルＮ０への選局要求を行う（ステップＳＡ１）。すなわち、ユーザ操作によって選局されるチャンネルＮ０又は電源オン時最初に選局されるチャンネルＮ０をレジスタにセットする。次に、チャンネルＮ０の次のチャンネルＮ１への選局をチューナ２に指示する（ステップＳＡ２）。そして、チャンネルＮ１のＥＰＧデータを取得し、メモリ９に保存する（ステップＳＡ３）。次に、チャンネルＮ０の前のチャンネルＮ２への選局をチューナ２に指示する（ステップＳＡ４）。そして、チャンネルＮ２のＥＰＧデータを取得し、メモリ９に保存する（ステップＳＡ５）。次に、レジスタにセットされているチャンネルＮ０に選局するようにチューナ２に指示して（ステップＳＡ６）、チャンネルＮ０のＥＰＧデータを取得し、メモリ９に保存する（ステップＳＡ７）。そして、メモリ９から読み出したＥＰＧデータに基づいて、チャンネルＮ０、Ｎ１およびＮ２のＥＰＧ表示データを生成し、映像表示部７に所定時間表示する（ステップＳＡ８）。
【００１９】
次に、チャンネルＮ０の番組の映像の表示、および、チャンネルＮ０のＥＰＧデータの取得を行う（ステップＳＡ９）。取得したＥＰＧデータはメモリ９に保存されるが、そのとき取得したＥＰＧデータとメモリ９にすでに保存されているＥＰＧデータとを比較して、ＥＰＧデータが更新されているか否かを判別する（ステップＳＡ１０）。ＥＰＧデータが更新されている場合には、新しいＥＰＧデータをメモリ９に保存する（ステップＳＡ１１）。すなわち、古いＥＰＧデータに上書きする。メモリ９にチャンネルＮ０のＥＰＧデータが保存されていない場合、例えば、空きを表すＮＵＬＬが保存されている場合にも、取得したＥＰＧデータをＮＵＬＬに上書きする。
新しいＥＰＧデータをメモリ９に保存した後、又は、ＥＰＧデータが更新されていない場合、すなわち、取得したＥＰＧデータとメモリ９にすでに保存されているＥＰＧデータとが一致する場合には、操作部１０の操作によってチャンネルＮ０への変更要求がされたか否かを判別する（ステップＳＡ１２）。チャンネル変更要求がない場合には、ステップＳＡ９に移行して、ステップＳＡ１２までのループ処理を繰り返す。一方、チャンネル変更要求がされたときは、ステップＳＡ１に移行して、チャンネルＮ０への選局要求処理を行う。
【００２０】
図３は、受信可能な放送局の中から１つの放送局を選択する場合の３つの例を示す図である。放送局Ａ、Ｂ、Ｃ、Ｄ、Ｅ、Ｆの受信可能なチャンネルは、それぞれｃｈ１６（最小のチャンネル）、ｃｈ１７、ｃｈ１８、ｃｈ２３、ｃｈ２４、ｃｈ２６（最大のチャンネル）である。
例１では、放送局Ｃが番組視聴の選択局であり、チャンネルＮ０がｃｈ１８の場合である。この場合には、次の受信可能なチャンネルＮ１はｃｈ２３であり、前の受信可能なチャンネルＮ２はｃｈ１７である。したがって、ｃｈ２３およびｃｈ１７のＥＰＧデータを取得してメモリ９に保存した後に、ｃｈ１８に選局してそのＥＰＧデータを取得してメモリ９に保存し、これら３つのチャンネルのＥＰＧ表示データを作成して、映像表示部７に所定時間表示する。その後に、ｃｈ１８の番組の画像を表示する。
例２では、放送局Ｆが番組視聴の選択局であり、チャンネルＮ０が最大チャンネルのｃｈ２６の場合である。この場合には、次の受信可能なチャンネルＮ１は最小チャンネルのｃｈ１６であり、前の受信可能なチャンネルＮ２はｃｈ２４である。したがって、ｃｈ１６およびｃｈ２４のＥＰＧデータを取得してメモリ９に保存した後に、ｃｈ２６に選局してそのＥＰＧデータを取得してメモリ９に保存し、これら３つのチャンネルのＥＰＧ表示データを作成して、映像表示部７に所定時間表示する。その後に、ｃｈ２６の番組の画像を表示する。
例３では、放送局Ａが番組視聴の選択局であり、チャンネルＮ０が最小チャンネルのｃｈ１６の場合である。この場合には、次の受信可能なチャンネルＮ１はｃｈ１７であり、前の受信可能なチャンネルＮ２は最大チャンネルのｃｈ２６である。したがって、ｃｈ１７およびｃｈ２６のＥＰＧデータを取得してメモリ９に保存した後に、ｃｈ１６に選局してそのＥＰＧデータを取得してメモリ９に保存し、これら３つのチャンネルのＥＰＧ表示データを作成して、映像表示部７に所定時間表示する。その後に、ｃｈ１６の番組の画像を表示する。
【００２１】
図４は、映像表示部７に表示されたＥＰＧの画面を示す図である。この画面は、図３における例１の場合のＥＰＧを示している。ユーザはこのＥＰＧを確認して選局したｃｈ１８の番組をそのまま視聴するか、又は、隣接するｃｈ１７若しくはｃｈ２３に切り替えるかを判断することになる。このＥＰＧの画面は所定時間（例えば、数秒間）表示された後は消去されることが望ましい。第１の理由は、ＥＰＧの画面で番組の視聴が妨げられるのを防止するためである。第２の理由は、隣接するチャンネルのＥＰＧデータの更新が妨げられるのを防止するためである。
【００２２】
以上のように、この第１実施形態によれば、ＣＰＵ１１は、現在受信中のチャンネルから他のチャンネルへの変更を指示する操作を検出すると、他のチャンネルすなわち変更先チャンネルおよびそのチャンネルに隣接するチャンネルのＥＰＧデータを受信してメモリ９に記憶し、記憶した３つのチャンネルのＥＰＧデータに応じてＥＰＧ表示データを生成し、映像表示部７に表示するので、チャンネル変更のタイミングを利用してＥＰＧデータを取得できる。この結果、ＥＰＧデータの取得のためにユーザの意図しない電力消費が発生するのを防止できる。また、番組受信とは別に専用のチューナを設けることなくＥＰＧデータを受信することにより、製品のコストダウンや小型軽量化を実現する。
【００２３】
次に、第２実施形態の動作について、図５ないし図７に基づいて説明する。
図５は、第２実施形態におけるＣＰＵ１１の受信処理のフローチャートである。まず、現在受信中のチャンネルの番組映像の表示およびＥＰＧデータの更新を行う（ステップＳＢ１）。図６は、このステップＳＢ１の詳細なフローチャートである。図６において、受信中チャンネルの番組データとＥＰＧデータを取り込む（ステップＳＣ１）。次に、ＥＰＧデータは更新されているか否かを判別する（ステップＳＣ２）。すなわち、取得したＥＰＧデータとメモリ９にすでに保存されているＥＰＧデータとが同じか否かを判別する。ＥＰＧデータが更新されている場合には、新しいＥＰＧデータをメモリ９に保存する（ステップＳＣ３）。すなわち、古いＥＰＧデータに上書きする。新しいＥＰＧデータをメモリ９に保存した後、又は、ＥＰＧデータが更新されていない場合、すなわち、取得したＥＰＧデータとメモリ９にすでに保存されているＥＰＧデータとが一致する場合には、図５のフローチャートに戻る。
【００２４】
そして、操作部１０の操作によってチャンネル変更要求がされたか否かを判別する（ステップＳＢ２）。チャンネル変更要求がない場合にはステップＳＢ１に移行するが、チャンネル変更要求がされたときは、その変更要求が順次チャンネルを変更するチャンネルＵＰ／ＤＯＷＮスイッチによるものであるか、又は、直接チャンネルを指示するチャンネルスイッチによるものであるかを判別する（ステップＳＢ３）。チャンネルＵＰ／ＤＯＷＮスイッチによる変更要求である場合には、さらに、そのスイッチがＵＰスイッチであるか又はＤＯＷＮスイッチであるかを判別する（ステップＳＢ４）。
ＵＰスイッチである場合には、今まで受信していたチャンネルの次の次のチャンネルへの選局を行って（ステップＳＢ５）、そのチャンネルのＥＰＧデータを取得し、メモリ９に保存する（ステップＳＢ６）。一方、ＤＯＷＮスイッチである場合には、今まで受信していたチャンネルの前の前のチャンネルへの選局を行って（ステップＳＢ７）、そのチャンネルのＥＰＧデータを取得し、メモリ９に保存する（ステップＳＢ８）。
ステップＳＢ６若しくはステップＳＢ８においてＥＰＧデータを保存した後、又は、ステップＳＢ３において、チャンネル変更要求がチャンネルスイッチによるものである場合には、変更先チャンネルへの選局を行い（ステップＳＢ９）、変更先チャンネルのＥＰＧデータを取得して、メモリ９に保存する（ステップＳＢ１０）。そして、メモリ９に保存されたＥＰＧデータをもとに、ＥＰＧを映像表示部７に所定時間表示する（ステップＳＢ１１）。
次に、変更先チャンネルの番組の映像を映像表示部７に表示する（ステップＳＢ１２）。この後、変更先チャンネル以外のＥＰＧデータをメモリ９から消去する（ステップＳＢ１３）。そして、ステップＳＢ１に移行する。
【００２５】
図７は、チャンネルＵＰ／ＤＯＷＮスイッチによるチャンネル変更の状態を示す図である。図７（ａ）は、チャンネルＵＰスイッチによるチャンネル変更の場合に、ＥＰＧを表示するチャンネル、スイッチ操作前に受信していたチャンネルを基準にしたチャンネル、およびＥＰＧデータを取得するタイミングを示している。図７（ｂ）は、チャンネルＤＯＷＮスイッチによるチャンネル変更の場合に、ＥＰＧを表示するチャンネル、スイッチ操作前に受信していたチャンネルを基準にしたチャンネル、およびＥＰＧデータを取得するタイミングを示している。
図７（ａ）および図７（ｂ）のいずれの場合においても、今まで受信していたチャンネルのＥＰＧデータはチャンネル変更前に取得し、変更先チャンネルのＥＰＧデータはチャンネル変更後に取得し、変更先チャンネルに対して変更方向の隣接チャンネルのＥＰＧデータはチャンネル変更の直前に取得する。
【００２６】
以上のように、この第２実施形態によれば、ＣＰＵ１１は、現在受信中のチャンネルから他のチャンネルへの変更を指示する操作が、直接に他のチャンネルを指示するチャンネルスイッチの操作によるものであるか、又は、チャンネルを順次増減するチャンネルＵＰ／ＤＯＷＮスイッチの操作によるものであるかを判別し、チャンネルＵＰ／ＤＯＷＮスイッチの操作によるものであると判別した場合にのみ、ＥＰＧデータを取得してメモリ９に記憶するので、第１実施形態の場合と同様に、チャンネル変更のタイミングを利用してＥＰＧデータを取得できる。この結果、ＥＰＧデータの取得のためにユーザの意図しない電力消費が発生するのを防止できる。また、番組受信とは別に専用のチューナを設けることなくＥＰＧデータを受信することにより、製品のコストダウンや小型軽量化を実現する。
【００２７】
また、この第２実施形態においては、チャンネル変更がチャンネルスイッチによる場合には、ユーザがＥＰＧで確認するまでもなく、変更先のチャンネルが確定している場合がほとんどであるので、無駄にＥＰＧデータを取得する動作は行わず、迅速なチャンネル切り替えが可能になる。すなわち、第２実施形態においては、ユーザがＥＰＧ表示を必要とする場合にＥＰＧデータを受信できるので高い利便性が得られる。
【００２８】
さらに、第１実施形態および第２実施形態においては、チャンネル変更の際に、変更先チャンネルの放送番組の映像の表示に先立って、又は、変更先チャンネルの放送番組の映像の表示に重ねて、メモリ９に記憶されたＥＰＧを映像表示部７に所定時間表示するので、チャンネル変更のたびにＥＰＧデータの取得のための操作が不要となることで高い利便性が得られる。この場合において、ＥＰＧを所定時間表示した後は、変更先チャンネル以外のチャンネルのＥＰＧデータをメモリ９から消去するので、古いＥＰＧデータによって誤ったＥＰＧ表示がされるのを回避できる。
【００２９】
なお、上記第１実施形態および第２実施形態においては、現在受信中のチャンネルから他のチャンネルに変更するタイミングで、変更先チャンネルに隣接するチャンネルのＥＰＧデータを取得してメモリ９に保存する構成にしたが、すべてのチャンネルのＥＰＧデータを取得してメモリ９に保存する構成にしてもよい。あるいは、メモリ９に保存されていないチャンネルのＥＰＧデータのみを取得してメモリ９に保存するように構成し、保存した時から一定時間（例えば、３０分）経過したときにそのＥＰＧデータを消去するようにしてもよい。さらに、チャンネル変更のタイミングで保存するＥＰＧデータのチャンネル数をユーザが設定できる構成にしてもよい。
すなわち、ＣＰＵ１１は、現在受信中のチャンネルから他のチャンネルへの変更を指示する操作を検出したときは、各チャンネルのＥＰＧデータを受信してメモリ９に記憶する。
【００３０】
また、上記各実施形態においては、携帯型のテレビ受信装置を例に採って本発明を説明したが、地上波ディジタル放送を受信する携帯電話などの携帯端末や移動端末にも本発明を適用することができる。携帯電話などにおいても、バッテリーによって電源供給を行っているので、チャンネル変更のタイミングを利用してＥＰＧデータを取得することにより、ＥＰＧデータの取得のためにユーザの意図しない電力消費が発生するのを防止できるとともに、番組受信とは別に専用のチューナを設けることなくＥＰＧデータを受信することにより、製品のコストダウンや小型軽量化を実現する。
【００３１】
また、上記各実施形態においては、メモリ９にあらかじめ記憶されている受信処理のプログラムをＣＰＵ１１が実行する受信装置の発明について説明したが、受信処理のプログラムを外部記憶媒体からインストールし、そのプログラムをＣＰＵ１１が実行するような構成も可能である。この場合には、プログラムの発明を実現する。
【００３２】
すなわち、そのプログラムは、現在受信中のチャンネルから他のチャンネルへの変更を指示する操作を検出する第１のステップと、前記第１のステップによって現在受信中のチャンネルから他のチャンネルへの変更を指示する操作が検出されたときは、各チャンネルの電子番組案内データを受信して所定の記憶手段に記憶する第２のステップと、を実行する。
【００３３】
あるいは、そのプログラムは、現在受信中のチャンネルから他のチャンネルへの変更を指示する操作を検出する第１のステップと、前記第１のステップによって現在受信中のチャンネルから他のチャンネルへの変更を指示する操作が検出されたときは、前記他のチャンネルおよび前記他のチャンネルに隣接するチャンネルの電子番組案内データを受信して所定の記憶手段に記憶する第２のステップと、を実行する。
【００３４】
これらのプログラムにおいて、前記第１のステップは、現在受信中のチャンネルから他のチャンネルへの変更を指示する操作が、直接に前記他のチャンネルを指示する第１の操作によるものであるか又はチャンネルを順次増減する第２の操作によるものであるかを判別し、前記第２のステップは、前記第１のステップによって現在受信中のチャンネルから他のチャンネルへの変更を指示する操作が前記第２の操作によるものであると判別された場合にのみ、電子番組案内データを受信して前記記憶手段に記憶する。
【００３５】
また、これらのプログラムにおいて、前記他のチャンネルの放送番組の映像の表示に先立って又は前記他のチャンネルの放送番組の映像の表示に重ねて、前記記憶手段に記憶された電子番組案内データの内容を所定の表示手段に所定時間表示する第３のステップをさらに実行する。さらに、この場合において、前記第２のステップは、前記第３のステップによって電子番組案内データの内容が所定時間表示された後は、前記記憶手段に記憶されている前記他のチャンネル以外のチャンネルの電子番組案内データを消去する。
【図面の簡単な説明】
【００３６】
【図１】本発明の受信装置の第１実施形態および第２実施形態における携帯型のテレビ受信装置の構成を示すブロック図。
【図２】第１実施形態における受信処理のフローチャート。
【図３】第１実施形態における受信可能な放送局の中から１つの放送局を選択する場合の３つの例を示す図。
【図４】映像表示部に表示されたＥＰＧの画面を示す図。
【図５】第２実施形態における受信処理のフローチャート。
【図６】図５におけるステップＳＢ１の詳細なフローチャート。
【図７】第２実施形態におけるチャンネルＵＰ／ＤＯＷＮスイッチによるチャンネル変更の状態を示す図。
【符号の説明】
【００３７】
１  アンテナ
２  チューナ
３  復調器
４  デマルチプレクサ
５  ＡＶデコーダ
６  音声出力部
７  映像表示部
８  ＯＳＤ
９  メモリ
１０  操作部
１１  ＣＰＵ
１２  システムバス
【図１】
2005184620.tif 000003
【図２】
2005184620.tif 000004
【図３】
2005184620.tif 000005
【図４】
2005184620.tif 000006
【図５】
2005184620.tif 000007
【図６】
2005184620.tif 000008
【図７】
2005184620.tif 000009